(57)【要約】      （修正有）【課題】超リタード燃焼を行う筒内直接噴射式内燃機関に適したピストンの提供。【解決手段】このピストンは、シリンダ中央に点火プラグ、吸気側に燃料噴射弁が配置され、点火時期が圧縮上死点後に設定された超リタード燃焼を実現可能な筒内直接噴射式内燃機関に適用される。ピストン中心線２１と直交するピストン冠面２２の中心２３に対して吸気側に偏心した位置に、吸気弁の弁頭部に対応して傾斜するリセス傾斜面を有する一対の吸気バルブリセス２４と、キャビティ２６と、を凹設する。このキャビティ２６を、ピストン冠面中心２３と一対のリセス傾斜面の中心２７とを結ぶ２本の直線２７Ａよりも吸気側の範囲Ｒ１に配置されたコンパクトなものとする。【選択図】図２
2010180728.tif 000002
【特許請求の範囲】
【請求項１】
シリンダヘッドに凹設されたペントルーフ型燃焼室に２つの吸気弁および２つの排気弁を有するとともに、シリンダ中央に点火プラグを有し、かつ、シリンダ内に直接燃料を噴射する燃料噴射弁が吸気側に配置され、点火時期が圧縮上死点後に設定された超リタード燃焼を行う筒内噴射式内燃機関のピストンにおいて、
ピストン冠面の中心に対して吸気側に凹設され、上記吸気弁の弁頭部に対応して傾斜するリセス傾斜面を有する一対の吸気バルブリセスと、
上記ピストン冠面の中心に対して吸気側に凹設されたキャビティと、を有し、
上記キャビティが、上記ピストン冠面の中心と一対のリセス傾斜面の中心とを結ぶ２本の直線よりも吸気側の範囲に配設されていることを特徴とする筒内直接噴射式内燃機関のピストン。
【請求項２】
上記キャビティは、吸気側から排気側へ向かうに従って幅が狭くなる形状をなしていることを特徴とする請求項１に記載の筒内直接噴射式内燃機関のピストン。
【請求項３】
上記キャビティは、排気側の浅底部と、この浅底部よりも深く凹設された吸気側の深底部と、を有することを特徴とする請求項１又は２に記載の筒内直接噴射式内燃機関のピストン。
【請求項４】
上記キャビティが一対の吸気バルブリセスと部分的に重なり合うように形成されており、
上記浅底部と吸気バルブリセスとが交差する部分では、上記浅底部の底面がリセス傾斜面よりも低く、この浅底部の底面からリセス傾斜面へ向けて立ち上がるキャビティ側壁が残存していることを特徴とする請求項３に記載の筒内直接噴射式内燃機関のピストン。
【請求項５】
上記浅底部の底面は、上記ピストン冠面に平行な平面をなしていることを特徴とする請求項３又は４に記載の筒内直接噴射式内燃機関のピストン。
【発明の詳細な説明】
【技術分野】
【０００１】
本発明は、ガソリン機関に代表される筒内噴射式内燃機関のピストンに関し、特に、点火時期を圧縮上死点後に設定した超リタード燃焼を実現可能な筒内噴射式内燃機関のピストンの改良に関する。
【背景技術】
【０００２】
本出願人による特許文献１には、スワール流を利用した成層希薄燃焼とタンブル流を利用した均質燃焼とを両立させる筒内直接噴射式内燃機関に適したピストンが記載されている。このピストンの頂面には、ペントルーフ型燃焼室の形状に対応した凸部が設けられ、この凸部の吸気側傾斜面に、吸気弁の弁頭部に対応した一対のバルブリセスとキャビティ燃焼室とが凹設されている。
【０００３】
また、本出願人による特許文献２には、点火時期を圧縮上死点後まで大幅に遅角化することで、触媒の早期活性化と後燃えによるＨＣ低減等を図る超リタード燃焼を実現可能な筒内直接噴射式内燃機関が記載されている。
【先行技術文献】
【特許文献】
【０００４】
【特許文献１】特開平１０−３１７９７３号公報
【特許文献２】特開２００７−９８６４号公報
【発明の概要】
【発明が解決しようとする課題】
【０００５】
上述した超リタード燃焼では、燃料噴射時期が点火時期より前の圧縮上死点近傍に設定されることから、圧縮上死点後の膨張行程つまりピストン下降行程で燃料噴霧が拡散され易く、点火プラグの周りに可燃混合気を集中させて安定した燃焼を得ることが難しい。また、上記特許文献１のように、ピストン頂面に凸部を設けたものでは、均質燃焼運転時におけるタンブル流動成分の保存が阻害され、この流動成分を利用した混合気の均質化を阻害するおそれがある。
【課題を解決するための手段】
【０００６】
本発明に係る筒内直接噴射式内燃機関は、シリンダヘッドに凹設されたペントルーフ型燃焼室に２つの吸気弁および２つの排気弁を有するとともに、シリンダ中央に点火プラグを有し、かつ、シリンダ内に直接燃料を噴射する燃料噴射弁が吸気側に配置され、点火時期が圧縮上死点後に設定された超リタード燃焼を実現可能なものである。
【０００７】
そして本発明は、このような超リタード燃焼を安定して行うことができるピストンを提供することを目的としている。すなわち、本発明のピストンは、ピストン冠面の中心に対して吸気側に凹設され、上記吸気弁の弁頭部に対応して傾斜するリセス傾斜面を有する一対の吸気バルブリセスと、上記ピストン冠面の中心に対して吸気側に凹設されたキャビティと、を有している。そして、上記キャビティが、上記ピストン冠面の中心と一対のリセス傾斜面の中心とを結ぶ２本の直線よりも吸気側の範囲に配設されていることを特徴としている。
【０００８】
上記吸気バルブリセス及びそのリセス傾斜面は、吸気弁の弁頭部が最もピストンに接近するとき（通常、圧縮上死点）の、弁頭部の形状に応じた形状に設計されている。従って、上記『リセス傾斜面の中心』とは、吸気弁の弁頭部が最もピストンに接近するときの、吸気弁のバルブ軸中心線の延長線とピストンとが交差する位置に相当する。
【０００９】
上記２本の直線に挟まれた吸気側の範囲、つまり、燃料噴射弁が配置された吸気側から点火プラグが配置されたシリンダ中央へ向けて三角形状に狭まる範囲内にキャビティが配置されるため、このキャビティがコンパクトなものとなり、かつ、超リタード燃焼時にはキャビティにより燃料噴霧を点火プラグ側へ案内し、点火時期の周りに可燃混合気を集中させることで、超リタード燃焼を安定して行うことができる。
【００１０】
また、ピストン冠面上に凸部が張り出すことのないフラットな形状とすることで、均質燃焼時における流動成分を阻害することがなく、良好な均質燃焼を実現可能である。
【発明の効果】
【００１１】
本発明によれば、上記のキャビティにより超リタード燃焼時には圧縮上死点後の点火時期に点火プラグの近傍に可燃混合気を集中させることで、安定した超リタード燃焼を実現することができる。
【図面の簡単な説明】
【００１２】
【図１】本発明の第１実施例に係る筒内直接噴射式内燃機関のピストンを示す図２のＡ−Ａ線に沿う断面図。
【図２】第１実施例のピストンを示す上面図。
【図３】上記第１実施例に係る超リタード燃焼における圧縮上死点直前のピストン上昇行程での燃料噴射時期におけるピストンを示すＡ−Ａ線に沿う断面図（Ａ）及び上面図（Ｂ）。
【図４】上記第１実施例に係る超リタード燃焼における圧縮上死点直後のピストン下降行程での点火時期におけるピストンを示すＡ−Ａ線に沿う断面図（Ａ）及び上面図（Ｂ）。
【図５】本発明の第２実施例に係るピストンを示す断面図。
【図６】本発明の第３実施例に係るピストンを示す断面図。
【図７】本発明の第４実施例に係るピストンを示す断面図。
【図８】本発明の第５実施例に係るピストンを示す断面図。
【図９】本発明の第６実施例に係るピストンを示す上面図。
【図１０】図９のＡ−Ａ線に沿う断面図。
【図１１】本発明の第７実施例に係るピストンを示す上面図。
【図１２】本発明の第８実施例に係るピストンを示す上面図。
【図１３】本発明の第９実施例に係るピストンを示す上面図。
【図１４】ピストン頂部の２つの形状例（Ａ），（Ｂ）を示す断面図。
【発明を実施するための形態】
【００１３】
以下、この発明の好ましい実施の形態を図面に基づいて詳細に説明する。始めに、この発明のピストン２０が用いられる筒内噴射式内燃機関の構成を図１〜図４に基づいて説明する。なお、図３及び図４では吸気弁及び排気弁を図示省略している。
【００１４】
シリンダブロック１には、複数のシリンダ３（図では一つのみが示されている）が配置されており、その上面を覆うように、シリンダヘッド２が固定されている。各シリンダ３内には、ピストン２０が摺動可能に嵌合している。また、上記シリンダヘッド２に凹設された燃焼室４は、いわゆるペントルーフ型に構成されており、その一方の吸気側傾斜面に一対の吸気弁５が、他方の排気側傾斜面に一対の排気弁６がそれぞれ配置されている。そして、これらの一対の吸気弁５および一対の排気弁６によって囲まれたシリンダ３の略中心位置に、点火プラグ７がシリンダ軸線３Ａに沿うように配置されている。
【００１５】
上記シリンダヘッド２には、一対の吸気弁５によってそれぞれ開閉される一対の吸気ポート８が形成されるとともに、一対の排気弁６によってそれぞれ開閉される一対の排気ポート９が形成されている。略円筒状をなす電磁式燃料噴射弁１０は、吸気弁５側のシリンダ３側壁寄りのシリンダヘッド２下面部に配置されており、その中心軸が斜め下方へ向かった姿勢で取り付けられている。すなわち、燃料噴射弁１０は、図３にも示すように、その噴霧軸線が吸気側から排気側へ斜め下方へ向かうように配置されている。なお、燃料噴射弁１０としては、多数の微細な噴孔を備えたマルチホール型の燃料噴射弁が用いられている（図３参照）。
【００１６】
上記シリンダ３内に配置されたピストン２０の頂部のピストン冠面２２には、後述するように、吸気弁５側に偏心した位置に、キャビティ２６が形成されており、ピストン２０が上死点近傍にあるときに、上記燃料噴射弁１０の噴霧軸線がこのキャビティ２６を指向するようになっている。この内燃機関の燃料噴射量，噴射時期及び点火時期等は、図示せぬ制御部により機関運転状態に応じて制御される。
【００１７】
この内燃機関の基本的な作用について簡単に説明すると、先ず、機関の全負荷時あるいは希薄燃焼域の中でも比較的空燃比が小さな領域では、シリンダ３内に均質な混合気を形成して点火する均質燃焼が行われる。この均質燃焼時には、シリンダ３内には強いタンブル流（縦渦）が生成され、吸気行程中にシリンダ３内に噴射供給される燃料は、タンブル流によってシリンダ３内で積極的に拡散される。特に、本実施例では、後述するように、ピストン冠面２２上に凸部が設けられておらず、かつ、キャビティ２６がコンパクトの構成となっているために、均質燃焼時にはタンブル流が阻害されることなく良好に保存され、キャビティ２６内に滞留することもなく、均質化が促進される。
【００１８】
一方、低負荷域で、かつ空燃比を非常に大きくする希薄燃焼域では、混合気の成層化により確実な着火を可能とする通常の成層希薄燃焼を行う。この成層希薄燃焼時では、圧縮行程の適宜な時期に燃料噴射が行われ、かつ、圧縮上死点前の時期に点火が行われる。燃料噴霧は点火プラグ７の近傍に層状に集められ、これにより、空燃比をリーンとした成層燃焼が実現される。
【００１９】
そして、例えば排気通路に設けられた触媒の早期昇温が要求される冷機始動時には、排気温度を高温とするように、超リタード燃焼が行われる。この超リタード燃焼では、図４に示すように、点火時期が圧縮上死点後の膨張行程つまりピストン上昇行程の前半に設定され、かつ、図３に示すように、燃料噴射時期が点火時期より前の圧縮上死点近傍、より具体的には圧縮上死点より前の圧縮行程つまりピストン下降行程の後半に設定される。このような超リタード燃焼によれば、上記の特開２００７−９８６４号公報等にも記載されているように、点火時期の大幅な遅角化により排気の昇温及びＨＣ低減を図ることができる。
【００２０】
次に、本発明の第１実施例に係るピストン２０の構成、特にその頂部の構成について、図１〜図４を参照して詳細に説明する。このピストン２０は、ピストン外形円の中心であるピストン中心線２１と直交する平面もしくは仮想平面からなるピストン冠面２２と、ピストン冠面２２の中心２３（ピストン中心線２１とピストン冠面２２とが交わる位置）に対して吸気側に偏心した位置に凹設された一対の吸気バルブリセス２４と、ピストン冠面中心２３に対して排気側に偏心した位置に凹設された一対の排気バルブリセス２５と、ピストン冠面中心２３に対して吸気側に偏心した位置に凹設されたキャビティ２６と、を有している。
【００２１】
吸気バルブリセス２４は、吸気弁５の弁頭部５Ａとの干渉を回避するように、この弁頭部５Ａに対応して傾斜する平面からなるリセス傾斜面２４Ａが形成されている。このリセス傾斜面２４Ａは、弁頭部５Ａと同様、冠面中心２３から吸気側へ向かうに従って深くなるように傾斜している。
【００２２】
［１］そして、キャビティ２６は、ピストン冠面２２の中心２３と一対のリセス傾斜面２４Ａの中心２７とを結ぶ２本の直線２７Ａよりも吸気側（図２の下側）の範囲Ｒ１に配設されている。ここで、リセス傾斜面２４Ａは、吸気弁５の弁頭部５Ａが最も接近する状態（ピストン上死点位置）で、この弁頭部５Ａと干渉することのないように、弁頭部５Ａの形状に応じた仮想円形の傾斜面をなしており、この仮想円形の中心がリセス傾斜面２４Ａの中心２７に相当する。つまり、リセス傾斜面２４Ａの中心２７は、吸気弁５の弁頭部５Ａがピストンに最も接近するピストン上死点位置での、吸気弁５のバルブ軸中心線がピストンと交差する位置に相当する。
【００２３】
このように、燃焼噴射弁１０が配置された吸気側から点火プラグ７が配置されたシリンダ中央へ向けて狭まる三角形状をなす領域Ｒ１にキャビティ２６を収めることで、キャビティ２７がコンパクトなものとなるとともに、図２に示すように、典型的には領域Ｒ１と同様に点火プラグ７へ向けて徐々に幅狭となる形状を呈するものとなる。従って、図３及び図４に示すように、超リタード燃焼時には、圧縮上死点付近で噴射された燃料の噴霧Ｆ１が、コンパクトなキャビティ２６内で受け止められ、かつ、キャビティ２６の壁面により上空へ案内・跳ね上げられて、点火時期近傍の圧縮上死点後に、点火プラグ７の近傍に良好な可燃混合気Ｆ２を集中的に形成することが可能となり、安定した超リタード燃焼を実現することができる。また、このようにキャビティ２６を小さくすることで、燃料噴霧のキャビティ２６内での停滞時間が短くなり、ピストン冠面２２への燃料付着量を低減し、排気エミッションを抑えることができる。更に、ピストン冠面２２より上方に凸部が設けられていない形状となっているため、上記の均質運転時におけるタンブル流などのガス流動を阻害することがなく、良好な均質燃焼を実現することができる。
【００２４】
［２］キャビティ２６は、図２に示すようなシリンダ軸方向視において、吸気側から排気側へ向かうに従って幅が狭くなる形状、つまり燃料噴射方向に沿って徐々に幅狭とな形状、つまり上記の直線２７Ａで挟まれた三角形状の領域Ｒ１に応じた略三角形状をなしている。従って、超リタード燃焼時には、図３（Ｂ）に示すように、燃料噴霧Ｆ１を吸気側へ向けて幅広となるキャビティ２６内に良好に入り込ませることができ、かつ、このようにキャビティ２６内で受け止めた燃料噴霧Ｆ１を、排気側へ向けて幅狭となったキャビティ形状によって点火プラグ７へ向けて集中させつつ上空へ跳ね上げさせて、図４に示すように、点火時期の近傍に点火プラグ７の周りに可燃混合気Ｆ２を良好に形成することができる。
【００２５】
［３］キャビティ２６は、排気側の浅底部２８と、この浅底部２８よりも深く凹設された吸気側の深底部２９と、を有している。このように、キャビティ２６の排気側つまりピストン中央寄りの部分を浅底部２８により浅底化し、燃料噴射弁１０寄りの吸気側を深底部２９により深底化することで、超リタード燃焼時には、燃料噴射弁１０より噴射された燃料噴霧Ｆ１を、燃料噴射弁１０側・吸気側へ向けて深底化されたキャビティ２６内へ良好に入り込ませるとともに、このようにキャビティ２６内に導入された燃料噴霧Ｆ１を、排気側つまりピストン中央へ向けて浅底化したキャビティ形状によって、点火プラグ７へ向けて上方へ案内し、図４に示すように、点火時期の近傍に点火プラグ７の周りに可燃混合気Ｆ２を良好に形成することができる。
【００２６】
［４］キャビティ２６は一対の吸気バルブリセス２４と部分的に重なり合うように形成されている。そして、浅底部２８と吸気バルブリセス２４とが交差する部分３０（図２参照）では、図１に示すように、浅底部２８の底面がリセス傾斜面２４Ａよりも低く（深く）設定されており、この浅底部２８の底面からリセス傾斜面２４Ａへ向けて立ち上がるキャビティ側壁３１が残存している。つまり、浅底部２８の底面は吸気バルブリセス２４側に直接的に露出・開放しておらず、キャビティ側壁３１により浅底部２８内の空間が吸気バルブリセス２４側の空間と隔てられている。従って、このキャビティ側壁３１により、浅底部２８に導入された燃料噴霧Ｆ１が吸気バルブリセス２４側へ拡散することを抑制し、成層混合気Ｆ２を吸気バルブリセス２４側へ拡散させることなく点火プラグ７の周囲に集中させることができる。
【００２７】
また、本実施例においては、図１に示すように、深底部２９においても、その大半がリセス傾斜面２４Ａよりも低く（深く）設定されており、深底部２９の底面からリセス傾斜面２４Ａへ向けて立ち上がるキャビティ側壁３１の一部３１Ａを残存させている。従って、深底部２９によって、燃料噴霧を受け止めるためのキャビティ容積を確保しつつ、浅底部２８と同様、キャビティ側壁３１の一部３１Ａにより深底部２９へ導入された燃料噴霧Ｆ１の吸気バルブリセス２４側への拡散を抑制することができる。
【００２８】
［５］浅底部２８の底面は、ピストン冠面２２に平行な平面をなしている。このように浅底部２８の底面を簡素な平面形状とすることで、応力集中が緩和されるとともに、燃料の噴霧の付着が抑制され、かつ、超リタード燃焼時に燃料噴射弁１０から噴射された燃料噴霧Ｆ１を点火プラグ側へ指向させるための運動量の損失を小さく抑えることができる。
【００２９】
図５は第２実施例のピストン形状を示している。なお、以下に説明する実施例では、上述した実施例と同様の構成については同じ参照符号を付して重複する説明を適宜省略し、既述実施例と異なる部分についてのみ説明する。また、点火プラグ７，燃料噴射弁１０やピストン２０における排気バルブリセス２５を適宜図示省略している。なお、後述する全ての実施例において、第１実施例と同様、キャビティ２６（２６Ａ〜２６Ｄ）は、２本の直線２７Ａに挟まれた領域Ｒ１内に配置されたものとなっている。
【００３０】
この第２実施例においては、深底部２９Ａの円弧状に湾曲する曲面をなす底面の最深部３２Ａが、深底部２９Ａの中で排気側寄りの位置に設定されている。これによって、図５の矢印Ｙ１に示すように、超リタード燃焼時に燃料噴射弁１０から深底部２９Ａへ噴射された燃料噴霧の向きを吸気側へ大きく偏向させて、この燃料噴霧の排気側への運動量を低減し、成層混合気が点火プラグ７よりも排気側へ流されることを抑制することができる。
【００３１】
図６に示す第３実施例では、深底部２９Ｂの円弧状に湾曲する曲面をなす底面の最深部３２Ｂが、深底部２９Ｂの中で吸気側寄りの位置に設定されている。これによって、深底部２９Ｂにおける最深部３２Ｂよりも排気側の部分では、吸気バルブリセス２４のリセス傾斜面２４Ａに沿う形で、このリセス傾斜面２４Ａよりも低く（深く）設定することで、深底部２９Ｂの大部分をリセス傾斜面２４Ａよりも低くさせて、吸気バルブリセス２４の露出・開放を更に抑制できる。従って、超リタード燃焼時に深底部２９Ｂへ噴射された燃料の吸気バルブリセス２４側への拡散を更に抑制することができる。また、矢印Ｙ２に示すように、超リタード燃焼時に深底部２９Ｂへ噴射された燃料を、深底部２９Ｂにおける最深部３２Ｂよりも排気側の部分に沿う形で、浅底部２９側へと良好に案内させることができる。
【００３２】
図７に示す第４実施例では、深底部２９Ｃの最深部分に、ピストン冠面２２に平行な平面部３３を設けている。これによって、リセス傾斜面２４Ａとの段差、つまり深底部２９Ｃの平面部３３とリセス傾斜面２４Ａとを繋ぐキャビティ側壁３１Ａの高さを十分に確保し、超リタード燃焼時に深底部２９Ｃへ噴射された燃料の吸気バルブリセス２４側への拡散を更に抑制することができる。
【００３３】
図８に示す第５実施例では、深底部２９Ｄが実質的に断面矩形をなす形状に設定されており、キャビティ２６と吸気バルブリセス２４とが交差する全ての部分で、キャビティ２６が吸気バルブリセス２４よりも深く、リセス側壁３１が残存する形となっている。
いる。これによって、第４実施例と同様、リセス傾斜面２４Ａとの段差を十分に大きく確保して、超リタード燃焼時に深底部２９Ｄへ噴射された燃料の吸気バルブリセス２４側への拡散を更に確実に抑制することができる。
【００３４】
図９及び図１０は第６実施例のピストン形状を示している。この第６実施例では、キャビティ２６Ａが、上記第１〜５実施例のように浅底部と深底部とに段付形成されておらず、一つの薄皿型の形状をなしており、ピストン冠面２２に平行な一つのキャビティ底面３４と、このキャビティ底面３４の周縁部から立ち上がるキャビティ側壁３１と、により構成されている。このキャビティ底面３４は、リセス傾斜面２４Ａの最深部３９よりも高く（浅く）設定されている。従って、吸気バルブリセス２４の吸気側つまり最深部３９寄りの部分では、吸気バルブリセス２４の一部３５がキャビティ２６Ａの内側に入り込み、このキャビティ２６Ａ内に凹設された形となっている。つまり、キャビティ底面３４がリセス傾斜面２４Ａと交差しつつ吸気側へ延在している。この構成によれば、超リタード燃焼時には、燃料噴射弁１０より噴射された燃料を、キャビティ２６Ａ内に更に凹設された吸気バルブリセス２４の一部３５を利用してキャビティ２６Ａへ入り込ませることができ、広範囲に幅広く燃料が噴射される場合であっても、その燃料噴霧をキャビティ２６Ａ内へ良好に収めることができる。
【００３５】
図１１に示す第７実施例のキャビティ２６Ｂは、上記第１実施例のキャビティ２６に比して、ピストンピン方向（図の左右方向）のキャビティ幅Ｄ１が狭い形状をなしており、つまり、ピストンピン方向と直交する方向つまり吸気側から排気側へ向かうスラスト−反スラスト方向のキャビティ長さＬ１が、キャビティ幅Ｄ１よりも十分に長い長尺な形状を呈している。この場合、キャビティをコンパクト化し、点火プラグ７への成層混合気の集中度を高めることができる。
【００３６】
図１２に示す第８実施例のキャビティ２６Ｃは、上記第７実施例のキャビティ２６Ｂとは逆に、キャビティ幅Ｄ２がキャビティ長さＬ２よりも長い幅広形状を呈している。この構成によれば、噴霧角度が大きく広範囲に噴射される燃料噴射弁の仕様においても、広範囲の燃料噴霧をキャビティ２６Ｃ内に入り込ませることができ、超リタード燃焼におけるキャビティ外への燃料噴霧の拡散を抑制することができる。
【００３７】
上述した第１〜第８実施例では、シリンダ中心を通るスラスト−反スラスト方向の基準線３６（図１３参照）つまり燃料噴霧軸線に対して対称形状に設定しているが、燃料噴射時期での流動場に応じて、基準線３６に対して非対称の形状としても良い。例えば、図１３に示す第９実施例は、スワール場におけるキャビティ形状を示しており、キャビティ２６Ｄを、基準線３６に対してスワール流の上流側（図１３の左側）に偏心させており、これによって、超リタード燃焼時には、スワール流によって偏る成層混合気を的確に点火プラグ７の周りに集中させることができる。
【００３８】
図１４はピストン頂部の２つの形状例（Ａ），（Ｂ）を示しており、それぞれ図２のＢ−Ｂ線に沿う断面対応図である。上述した実施例は（Ａ）に示すようにピストン冠面２２が平坦な平面又は仮想平面からなるフラット形状のものである。但し、本発明のピストン形状はこれに限られず、例えば（Ｂ）の例のように、外周のピストン基準面３７に対して低い平面（冠面）３８を設けるようにしたものであっても良い。
【符号の説明】
【００３９】
１…シリンダブロック
２…シリンダヘッド
３…シリンダ
４…燃焼室
５…吸気弁
５Ａ…弁頭部
６…排気弁
７…点火プラグ
１０…燃料噴射弁
２０…ピストン
２２…ピストン冠面
２３…冠面中心
２４…吸気バルブリセス
２６…キャビティ
２８…浅底部
２９…深底部
【図１】
2010180728.tif 000003
【図２】
2010180728.tif 000004
【図３】
2010180728.tif 000005
【図４】
2010180728.tif 000006
【図５】
2010180728.tif 000007
【図６】
2010180728.tif 000008
【図７】
2010180728.tif 000009
【図８】
2010180728.tif 000010
【図９】
2010180728.tif 000011
【図１０】
2010180728.tif 000012
【図１１】
2010180728.tif 000013
【図１２】
2010180728.tif 000014
【図１３】
2010180728.tif 000015
【図１４】
2010180728.tif 000016